(57)【要約】【課題】安定したコイルばね荷重を得ることができる電磁引外装置及び回路遮断器を提供する。【解決手段】電磁引外装置９０は、コイルばね９８と、コイルばね９８の内側に挿通される固定鉄心９３と、コイルばね９８を介して、固定鉄心９３に対して離間して設けられる可動鉄心９７と、を備える。電磁引外装置９０は、固定鉄心９３に働く電磁力によって、固定鉄心９３と可動鉄心９７とが接離する。電磁引外装置９０は、固定鉄心９３の外周と、コイルばね９８の内周との空間を抑制するスペーサ１００を備える。【選択図】図５
2014199755.tif 000002
【特許請求の範囲】
【請求項１】
コイルばねと、
前記コイルばねの内側に挿通される第１鉄心と、
前記コイルばねを介して、前記第１鉄心に対して離間して設けられる第２鉄心と、を備え、
前記第１鉄心に働く電磁力によって、前記第１鉄心と前記第２鉄心とが接離する電磁引外装置において、
前記第１鉄心の外周と、前記コイルばねの内周との空間を抑制する空間抑制部材を備える
ことを特徴とする電磁引外装置。
【請求項２】
前記空間抑制部材は、前記第１鉄心と一体に形成されている
ことを特徴とする請求項１に記載の電磁引外装置。
【請求項３】
請求項１又は２に記載の電磁引外装置と、
固定接点に対して可動接点を閉じるオン位置と、前記固定接点に対して前記可動接点を開くオフ位置との間で回動可能に支持されたハンドルと、
前記ハンドルに直接又は間接的に接続され、前記ハンドルの回動に応じて前記固定接点に対して前記可動接点を接離する遮断機構と、を備え、
前記電磁引外装置は、接続された回路が所定の回路状態に達した際に、接点間を引き外して回路を遮断する
ことを特徴とする回路遮断器。
【請求項４】
請求項３に記載の回路遮断器において、
前記電磁引外装置は、前記回路が所定電圧以下となった際に、前記接点間を引き外して回路を遮断し、
前記所定電圧以下であるとき、前記第１鉄心と前記第２鉄心との吸引力は、前記コイルばねの付勢力よりも小さく設定され、
前記回路が前記所定電圧以下となると、前記第１鉄心と前記第２鉄心とが離間する
ことを特徴とする回路遮断器。
【請求項５】
請求項３に記載の回路遮断器において、
前記電磁引外装置は、前記遮断機構とリンクするリンク部材を備え、
前記回路が所定電圧以上となった際に、前記リンク部材を介して前記接点間を引き外して回路を遮断し、
前記所定電圧以上であるとき、前記第１鉄心と前記第２鉄心との吸引力は、前記コイルばねの付勢力よりも大きく設定され、
前記回路が前記所定電圧以上となると、前記第１鉄心と前記第２鉄心とが吸着して、前記固定接点と前記可動接点とを引き外す
ことを特徴とする回路遮断器。
【発明の詳細な説明】
【技術分野】
【０００１】
本発明は、電磁引外装置及び回路遮断器に関する。
【背景技術】
【０００２】
回路遮断器は、電源と負荷とを接続した回路において所定の回路状態に達した際には、接点間を引き外して回路を遮断する（例えば、特許文献１参照）。回路遮断器は、例えば、配線用遮断器、漏電遮断器、過電圧遮断器、不足電圧遮断器等がある。配線用遮断器は、短絡又は過負荷による異常電流が流れた際に回路を遮断する。漏電遮断器は、漏電が発生した際に回路を遮断する。過電圧遮断器は、回路の電圧が所定電圧よりも高い際に回路を遮断する。不足電圧遮断器は、回路の電圧が所定電圧よりも低い際に回路を遮断する。上記の回路遮断器を組み合わせた複合遮断器を使用することもある。
【０００３】
上記の回路遮断器は、接点間を開閉する遮断機構と、回路を開閉操作するハンドルと、遮断機構を介して接点間を引き外す電磁引外装置と、を備えている。
特許文献１に記載の回路遮断器に備えられた電磁引外装置では、筐体の側面から連動棒が突出し、この連動棒は連接された回路遮断器の筐体内に挿入されており、電源電圧の異常発生時に連動棒を動かして、回路遮断器の遮断機構を引外動作させている。電磁石装置は、ボビンに巻回されたコイルと、ボビンの孔に通された第１鉄心と、コイルへの通電時に第１鉄心の磁極に吸着される第２鉄心と、第２鉄心が吸着される方向と逆方向に荷重を加えるコイルばねと、を備えている。
【先行技術文献】
【特許文献】
【０００４】
【特許文献１】特開２０００−２３１８６９号公報
【発明の概要】
【発明が解決しようとする課題】
【０００５】
ところで、上記のような電磁引外装置では、第１鉄心はコイルばねに内挿された構造となっている。そして、第１鉄心の外周と、コイルばねの内径との間に空間がある。このため、コイルばねが圧縮されたときに、コイルばねに変形が発生すると、所望のコイルばね荷重が得られない可能性がある。また、コイルばねに鉄心が挿通された構造を持つ電磁引外装置においても同様の課題がある。そこで、安定したコイルばね荷重を得ることができる電磁引外装置及び回路遮断器が求められている。
【０００６】
本発明は、こうした実情に鑑みてなされたものであり、その目的は、安定したコイルばね荷重を得ることができる電磁引外装置及び回路遮断器を提供することにある。
【課題を解決するための手段】
【０００７】
以下、上記目的を達成するための手段及びその作用効果について説明する。
上記課題を解決する電磁引外装置は、コイルばねと、前記コイルばねの内側に挿通される第１鉄心と、前記コイルばねを介して、前記第１鉄心に対して離間して設けられる第２鉄心と、を備え、前記第１鉄心に働く電磁力によって、前記第１鉄心と前記第２鉄心とが接離する電磁引外装置であって、前記第１鉄心の外周と、前記コイルばねの内周との空間を抑制する空間抑制部材を備えることをその要旨としている。
【０００８】
上記電磁引外装置、回路遮断器について、前記空間抑制部材は、前記第１鉄心と一体に形成されていることが好ましい。
上記課題を解決する回路遮断器であって、上記電磁引外装置と、固定接点に対して可動接点を閉じるオン位置と、前記固定接点に対して前記可動接点を開くオフ位置との間で回動可能に支持されたハンドルと、前記ハンドルに直接又は間接的に接続され、前記ハンドルの回動に応じて前記固定接点に対して前記可動接点を接離する遮断機構と、を備え、前記電磁引外装置は、接続された回路が所定の回路状態に達した際に、接点間を引き外して回路を遮断することが好ましい。
【０００９】
上記回路遮断器について、前記電磁引外装置は、前記回路が所定電圧以下となった際に、前記接点間を引き外して回路を遮断し、前記所定電圧以下であるとき、前記第１鉄心と前記第２鉄心との吸引力は、前記コイルばねの付勢力よりも小さく設定され、前記回路が前記所定電圧以下となると、前記第１鉄心と前記第２鉄心とが離間することが好ましい。
【００１０】
上記回路遮断器について、前記電磁引外装置は、前記遮断機構とリンクするリンク部材を備え、前記回路が所定電圧以上となった際に、前記リンク部材を介して前記接点間を引き外して回路を遮断し、前記所定電圧以上であるとき、前記第１鉄心と前記第２鉄心との吸引力は、前記コイルばねの付勢力よりも大きく設定され、前記回路が前記所定電圧以上となると、前記第１鉄心と前記第２鉄心とが吸着して、前記固定接点と前記可動接点とを引き外すことが好ましい。
【発明の効果】
【００１１】
本発明によれば、安定したコイルばね荷重を得ることができる。
【図面の簡単な説明】
【００１２】
【図１】回路遮断器の構成を示す分解斜視図。
【図２】オフ状態における回路遮断器の構成を示す左側面図。
【図３】オフ状態における回路遮断器の構成を示す右側面図。
【図４】電磁引外装置の構成を示す斜視図。
【図５】電磁引外装置の構成を示す分解斜視図。
【図６】電磁引外装置の構成を示す側面図。
【図７】電磁引外装置の構成を示す断面図。
【図８】電磁引外装置の構成を示す図６の８−８断面図。
【図９】オン状態における回路遮断器の構成を示す左側面図。
【図１０】不足電圧トリップした瞬間における回路遮断器の構成を示す左側面図。
【図１１】不足電圧トリップ状態における回路遮断器の構成を示す左側面図。
【図１２】別例の電磁引外装置の構成を示す斜視図。
【図１３】電磁引外装置の構成を示す断面図。
【図１４】別例のオン状態における回路遮断器の構成を示す左側面図。
【図１５】オフ状態における回路遮断器の構成を示す左側面図。
【発明を実施するための形態】
【００１３】
以下、図１〜図１１を参照して、電磁引外装置を回路遮断器の一種である不足電圧遮断器に具体化した一実施形態について説明する。
図１に示されるように、不足電圧遮断器は、回路の電圧が所定電圧よりも低くなったときに回路を遮断する。不足電圧遮断器は、短絡又は過負荷による異常電流が流れたときに回路を遮断する配線用遮断器等の回路遮断器と組み合わされて使用される。不足電圧遮断器の筐体１０は、例えば扁平状である。不足電圧遮断器の筐体１０の図中奥側には、外部電線を接続する端子部１１が設けられている。不足電圧遮断器の筐体１０は、第１カバー１４と第２カバー１５とを備えている。第１カバー１４と第２カバー１５とは、絶縁性を有する合成樹脂によって形成されている。第１カバー１４と第２カバー１５とは、開口部１４ａ，１５ａを備えた箱状に形成されている。第１カバー１４の開口部１４ａと第２カバー１５の開口部１５ａとは対向して組み付けられる。第１カバー１４と第２カバー１５とによって形成される空間には、ハンドル２０と、表示部材３０と、遮断機構４０と、電磁引外装置９０とが配置されている。不足電圧遮断器の筐体１０の上面中央には、ハンドルゲート１６が形成されている。不足電圧遮断器の筐体１０の上面の端子部１１と反対側には、表示窓１７が形成されている。
【００１４】
図２及び図３に示されるように、遮断機構４０は、連動駒４１と、駆動部材５０と、スラストバー６０と、ラッチ部材７０と、電磁引外装置９０と、励磁回路を実装した回路基板１３とが収納されている。筐体１０の内部には、不足電圧遮断器の動作状態を表示するために、表示部材３０と表示ラッチ部材８０とが収納されている。
【００１５】
ハンドル２０は、円柱状の回動部２１と、操作部２２とを備えている。回動部２１は、第１回動軸１８を中心に回動する。第１回動軸１８は、第１カバー１４に設けられている。ハンドル２０は、操作部２２が操作されることによって、第１回動軸１８を中心に回動する。操作部２２には、連接される回路遮断器のハンドルの操作部に連結する角棒状の連結棒２３が突設されている。よって、不足電圧遮断器のハンドル２０は、この連結棒２３によって、他の回路遮断器のハンドルと一緒に回動する。操作部２２が端子部１１と反対側に位置するときがオン位置（通電位置）である。操作部２２が端子部１１側に位置するときがオフ位置（電流遮断位置）である。ハンドル２０は、ハンドルばね２５により、オン位置からオフ位置に回転する方向に付勢力を常時付与されている。なお、ハンドル２０のオフ位置からオン位置への回転方向を「オン回転方向」とし、ハンドル２０のオフ位置からオン位置への回転方向を「オフ回転方向」とする。
【００１６】
連動駒４１は、第３回動軸４３を中心に回動可能に支持されている。連動駒４１には、金属製の連動棒４２の一端が保持されている。連動棒４２の他端は、第２カバー１５のスリット１５ｂから外部に突出する。連動棒４２の他端は、他の回路遮断器の連動駒に連結される。
【００１７】
駆動部材５０とラッチ部材７０と表示部材３０とは、第２回動軸１９を中心に回動する。第２回動軸１９は、筐体１０に両端が保持される。駆動部材５０は、コイルばねからなる復帰ばね５５と、捻りコイルばねからなる復帰ばね５６とによって、ハンドル２０のオフ回転方向に付勢力を常時付与されている。復帰ばね５５，５６の一端は、それぞれ第１カバー１４に係止されている。復帰ばね５５，５６の他端は、駆動部材５０に係止されている。ハンドル２０には、ハンドルばね２５によってオフ回転方向の付勢力が常時付与されている。また、表示ラッチ部材８０は、捻りコイルばねである表示ラッチばね８３によってハンドル２０のオン回転方向の付勢力が常時付与されている。
【００１８】
スラストバー６０は、金属の丸棒によってＵ字状に形成されている。スラストバー６０の操作側端部６１は、ハンドル２０の接続穴２４に挿入されている。スラストバー６０の伝達側端部６２は、駆動部材５０の係合突片５１とラッチ部材７０のラッチ片７１とによってできるリンク孔５４に配置されている。この状態がラッチ部材７０によってスラストバー６０がラッチされた状態（ラッチ状態）となる。このラッチ状態では、ハンドル２０の動きがスラストバー６０を介して駆動部材５０に伝達される。一方、駆動部材５０が電磁引外装置９０によって駆動されて、駆動部材５０とラッチ部材７０とが相対的に回動すると、リンク孔５４が開く。そして、スラストバー６０の伝達側端部６２がリンク孔５４の外側に出て、スラストバー６０のラッチが解除された状態（ラッチ解除状態）となる。
【００１９】
表示ラッチ部材８０は、第４回動軸８２を中心に回動可能に支持されている。表示ラッチ部材８０は、表示ラッチばね８３によってハンドル２０のオフ回転方向に付勢力が常時付与されている。表示ラッチ部材８０の上端部８１が、表示部材３０の下側に設けられた係合凸部３２に下側から当接することによって、表示部材３０がハンドル２０のオフ回転方向に回転できないようになっている。表示部材３０の先端部は、回路状態を表示する表示部３１である。表示部３１の上面は、表示部材３０の方向に沿って２つの領域に区画されている。表示部材３０の上面には、ハンドル２０側から順に正常状態を示す正常領域３１ａと、トリップ状態を示すトリップ領域３１ｂとが配置されている。これらの領域３１ａ，３１ｂのどちらかが表示窓１７から露出する。
【００２０】
筐体１０の内部には、回路基板１３が収納されている。回路基板１３には、コイル９２への通電に応じてラッチ部材７０を駆動する電磁引外装置９０と、電源電圧の異常を検出すると電磁引外装置９０のコイル９２の励磁を停止する励磁回路の部品が実装されている。
【００２１】
図４及び図５に示されるように、電磁引外装置９０は、合成樹脂製のボビン９１と、コイル９２と、固定鉄心９３と、スペーサ１００と、ホルダ部材９６と、可動鉄心９７と、コイルばね９８とを備えている。なお、固定鉄心９３が第１鉄心に相当し、可動鉄心９７が第２鉄心に相当し、スペーサ１００が空間抑制部材に相当する。また、ホルダ部材９６がリンク部材として機能する。
【００２２】
固定鉄心９３は、磁性材料（例えば鉄など）であって、板材によりＵ字状に形成されている。固定鉄心９３の下側脚片９５は、ボビン９１の孔内に挿入される。ボビン９１の両端には、挿入側鍔部９１ａと突出側鍔部９１ｂとが設けられている。固定鉄心９３の下側脚片９５の先端は、ボビン９１の突出側鍔部９１ｂから露出している。また、固定鉄心９３の上側脚片９４にはコイルばね９８が環装されている。
【００２３】
図６及び図７に示されるように、ホルダ部材９６は、ボビン９１の突出側鍔部９１ｂに回転自在に取り付けられる。ホルダ部材９６の先端には、突起９６ｂが設けられている。突起９６ｂは、ホルダ部材９６が回転した際に駆動部材５０に当接して、駆動部材５０をオン回転方向に回転させる。ホルダ部材９６には、磁性材料からなる板状の可動鉄心９７が保持されている。ホルダ部材９６は、突出側鍔部９１ｂに保持されたホルダ回動軸９６ａを中心に回動する。可動鉄心９７は、固定鉄心９３の両脚片９４，９５の先端面（磁極面）に当接する位置と、固定鉄心９３の両脚片９４，９５の先端面（磁極面）から離間する位置との間で回転できるようになっている。
【００２４】
図７及び図８に示されるように、固定鉄心９３には、固定鉄心９３の外周とコイルばね９８の内周との空間を抑制するスペーサ１００が取り付けられる。スペーサ１００は、固定鉄心９３の上側脚片９４の延出方向に延出して対向する２枚の板片１０１，１０２と、板片１０１，１０２を接続する接続片１０３とを備えている。スペーサ１００は、接続片１０３が固定鉄心９３の背面９３ａに当接することで前後方向の位置決めがされている。スペーサ１００は、板片１０１，１０２の接続片１０３側の下部がボビン９１の挿入側鍔部９１ａに当接することで上下方向の位置決めがされている。スペーサ１００の外形は、コイルばね９８の伸縮を妨げる摩擦力を発生させない程度に設定されている。スペーサ１００は、固定鉄心９３の外周とコイルばね９８の内周との空間に位置することで、コイルばね９８がコイルばね９８の内側に変形することを抑制している。このため、コイルばね９８が大きく変形することがなくなり、コイルばね９８から得られる荷重が安定する。また、コイルばね荷重が安定することにより磁界が安定する。
【００２５】
図２，図３，図９〜図１１を参照して、不足電圧遮断器の動作について説明する。
まず、ハンドル２０をオフ位置からオン位置に動かして、不足電圧遮断器を図２に示されるオフ状態から、図９に示されるオン状態に切り替える際の動作について説明する。
【００２６】
図９に示されるように、ハンドル２０をオフ位置からオン位置に向けて（オン回転方向）に回転させると、スラストバー６０によって駆動部材５０の係合突片５１が押され、駆動部材５０がオン回転方向に回転する。
【００２７】
ここで、ハンドル２０の第１回動軸１８と、スラストバー６０の伝達側端部６２とを結ぶ直線を切替境界線Ｌとする。ハンドル２０が回転されて、切替境界線Ｌを、スラストバー６０の操作側端部６１が超えると、スラストバー６０の伝達側端部６２が係合突片５１に押し付けられた状態で停止する。この時、ハンドル２０及びスラストバー６０はオン位置に保持され、不足電圧遮断器がオン状態となる。ラッチ部材７０は、ラッチばね３４の付勢力を受けて、スラストバー６０の伝達側端部６２側に当接する位置まで回転する。表示部材３０の係止部３３が駆動部材５０に押されることによって、表示部材３０はオン回転方向に回転し、表示リセット位置に移動する。この状態では、表示ラッチ部材８０は付勢力を受けて、表示部材３０をラッチ可能な位置に移動している。また、連動駒４１は、駆動部材５０の回転に合わせてオン回転方向に回転し、連動棒４２を介して他の回路遮断器の連動駒を変位させる。また、電磁引外装置９０は、オン状態において電源電圧が正常であれば、励磁回路によってコイル９２に通電され、可動鉄心９７が固定鉄心９３に吸引される。ホルダ部材９６は、コイルばね９８の付勢力に抗してオン位置まで回転した状態となっている。この状態ではホルダ部材９６の先端の突起９６ｂが駆動部材５０から離れた位置に移動している。
【００２８】
次に、ハンドル２０をオン位置からオフ位置に動かして不足電圧遮断器を図９に示されるオン状態から、図２に示されるオフ状態に切り替える際の動作について説明する。
図２に示されるように、ハンドル２０をオン位置からオフ位置に向けてオフ回転方向に回転させると、スラストバー６０によってラッチ部材７０が引っ張られる。ラッチ部材７０は、ラッチばね３４の付勢力に抗してハンドル２０のオフ回転方向に回転し、リンク孔５４が上側に開いた状態となる。駆動部材５０は、復帰ばね５５，５６の付勢力を受けてハンドル２０のオフ回転方向に回転し、第１カバー１４の係止片１４ｂに当接して停止する。連動駒４１は、駆動部材５０の突起部５２に押されることによって、付勢力に抗してハンドル２０のオフ回転方向に回転する。表示部材３０は、ラッチばね３４の付勢力を受けてハンドル２０のオフ回転方向に回転し、係合凸部３２が表示ラッチ部材８０の上端部８１に当接して停止する。この状態では、表示部３１の正常領域３１ａが表示窓１７から露出する。ホルダ部材９６の先端の突起９６ｂは、駆動部材５０の係合突起５３に押される。ホルダ部材９６は、ハンドル２０のオフ回転方向に回転し、可動鉄心９７が固定鉄心９３の磁極面に接触する位置に保持されている。
【００２９】
次に、電磁引外装置９０の作動によって、不足電圧遮断器が図９に示されるオン状態から、図１０の不足電圧トリップした瞬間を経由して、図１１に示されるトリップ状態へ切り替わる際の動作について説明する。
【００３０】
図１０に示されるように、オン状態において、電源電圧が定格電圧よりも低い所定の設定値を下回っていること（不足電圧状態）を、励磁回路が検出すると、励磁回路は、不足電圧遮断器をトリップさせるために、コイル９２に直列接続されたスイッチをオフさせる。この時、コイル９２への通電が停止され、固定鉄心９３と可動鉄心９７の間に発生する電磁吸引力がなくなるので、ホルダ部材９６はコイルばね９８の付勢力を受けて、ハンドル２０のオン回転方向に回転する。ホルダ部材９６がハンドル２０のオン回転方向に回転すると、ホルダ部材９６の先端側で駆動部材５０の係合突起５３が押される。ラッチ部材７０がハンドル２０のオフ回転方向に回転し、スラストバー６０の伝達側端部６２がラッチ部材７０のラッチ片７１から離れる。スラストバー６０の伝達側端部６２からラッチ部材７０のラッチ片７１が離れると、スラストバー６０の操作側端部６１を中心にハンドル２０のオフ回転方向に回転する。
【００３１】
図１１に示されるように、スラストバー６０の伝達側端部６２がリンク孔５４の外側へ離脱するため、スラストバー６０の支えを失った駆動部材５０は復帰ばね５５，５６の付勢力を受けてハンドル２０のオフ回転方向に回転し、オフ位置に移動する。また、駆動部材５０の突起部５２によって連動駒４１が上側に押され、連動棒４２によって他の回路遮断器の開閉機構が駆動され、開閉機構によって接点がオフされる。これにより、他の回路遮断器に接続された負荷機器への電源供給が遮断され、負荷機器を保護することができる。なお、ホルダ部材９６はコイルばね９８の付勢力を受けてハンドル２０のオン回転方向に回転するが、突起９６ｂが駆動部材５０の係合突起５３に当接すると、復帰ばね５５，５６の付勢力がコイルばね９８の付勢力よりも大きく設定されているので、ハンドル２０のオン回転方向にそれ以上回転することができなくなる。そして、駆動部材５０が復帰ばね５５，５６の付勢力を受けてハンドル２０のオフ回転方向に回転すると、駆動部材５０の係合突起５３でホルダ部材９６の突起９６ｂが押されることによって、ホルダ部材９６はハンドル２０のオフ回転方向に回転し、可動鉄心９７が固定鉄心９３の磁極面に接触する位置まで移動する。
【００３２】
また、表示ラッチ部材８０がホルダ部材９６の突起９６ｃ（図３参照）に押されてハンドル２０のオフ回転方向に回転することによって、表示部材３０のラッチが解除される。表示部材３０は、ラッチが解除されると、ラッチばね３４の付勢力を受けてハンドル２０のオフ回転方向に回転する。表示部３１のトリップ領域３１ｂが表示窓１７から露出する。その後、ハンドル２０がハンドルばね２５の付勢力を受けてハンドル２０のオフ回転方向に回転し、オフ位置まで移動すると、スラストバー６０の伝達側端部６２が、リンク孔５４の開口部を通ってリンク孔５４に挿入され、ラッチ片７１に係合する位置まで移動する。この時、スラストバー６０の伝達側端部６２は、駆動部材５０とラッチ部材７０とで囲まれるリンク孔５４に挿入された状態となり、ハンドル２０をオン回転方向に回転させてオン位置に移動させると、図９に示す状態となる。
【００３３】
以上、説明した実施形態によれば、以下の効果を奏することができる。
（１）コイルばね９８が固定鉄心９３の上側脚片の９４の外周とコイルばね９８自身の内周とによって形成される空間内に変形しようとしても、当該空間にはスペーサ１００が存在する。このため、コイルばね９８の変形を抑制できる。よって、安定したコイルばね荷重を得ることができる。
【００３４】
（２）コイルばね９８が固定鉄心９３の外周とコイルばね９８自身の内周とによって形成される空間にスペーサ１００が存在する電磁引外装置９０を備えた回路遮断器である。このため、回路を遮断する際における、コイルばね９８の変形が抑制されて、回路遮断の安定性を向上できる。
【００３５】
なお、上記実施形態は、これを適宜変更した以下の形態にて実施することができる。
・上記実施形態では、スペーサ１００の板片１０１，１０２を平板状としたが、板片１０１，１０２のコイルばね９８と対向する面をコイルばね９８の内周面に沿った断面円弧状としてもよい。このようにすれば、スペーサ１００を含めた固定鉄心９３の外形とコイルばね９８の内周との隙間を減らすことができ、コイルばね９８がコイルばね９８の内側に変形することを確実に抑制することができる。
【００３６】
・上記実施形態では、固定鉄心９３の外周と、コイルばね９８の内周との空間にスペーサ１００を別途挿入したが、固定鉄心９３とスペーサ１００とを一体に形成してもよい。例えば、図１２に示されるように、固定鉄心１９３をＵ字状の円柱とする。すなわち、固定鉄心１９３の上側脚片１９４の外径は、コイルばね９８の内径に対して若干小さく設定されている。このようにすれば、図１３に示されるように、コイルばね９８がコイルばね９８の内側に変形することを確実に抑制することができる。このため、コイルばね９８が大きく変形することがなくなる。また、部品点数の増加が抑制され、固定鉄心９３とスペーサ１００とを別々に組み付ける必要がない。
【００３７】
・上記実施形態では、電磁引外装置を不足電圧遮断器に採用したが、電磁引外装置を過電圧遮断器に採用してもよい。過電圧遮断器は、回路の電圧が所定電圧よりも高くなったときに回路を遮断する。例えば、図１４及び図１５に示されるように、過電圧遮断器は、駆動部材５０に可動接点板２０１を備え、可動接点板２０１に設けられた可動接点２０２を固定接点２０３から引き外すことで遮断する。過電圧遮断器に設けられる電磁引外装置２９０は、固定鉄心２９３に対するボビン２９１（コイル２９２）とコイルばね２９８の位置が上記実施形態と逆である。ホルダ部材２９６は、ボビン２９１の上部に設けられたホルダ回動軸２９６ａを中心に回動する。電磁引外装置２９０の可動鉄心２９７は、通常時には固定鉄心２９３に対して離間し、過電圧発生時には固定鉄心２９３に接触する。このとき、ホルダ部材２９６の先端がラッチ部材７０に当接することで駆動部材５０が変位して固定鉄心２９３に対して可動鉄心２９７が引き外される。固定鉄心２９３の下側脚片２９５には、上記実施形態と同様のスペーサ１００が上下逆さに取り付けられている。このため、過電圧遮断器においても本発明の電磁引外装置２９０を採用できる。
【符号の説明】
【００３８】
Ｌ…切替境界線、１０…筐体、１１…端子部、１３…回路基板、１４…第１カバー、１４ａ…開口部、１４ｂ…係止片、１５…第２カバー、１５ａ…開口部、１５ｂ…スリット、１６…ハンドルゲート、１７…表示窓、１８…第１回動軸、１９…第２回動軸、２０…ハンドル、２１…回動部、２２…操作部、２４…接続穴、２５…ハンドルばね、３０…表示部材、３１…表示部、３１ａ…正常領域、３１ｂ…トリップ領域、３２…係合凸部、３３…係止部、３４…ラッチばね、３６…復帰ばね、４０…遮断機構、４１…連動駒、４２…連動棒、４３…第３回動軸、５０…駆動部材、５１…係合突片、５２…突起部、５３…係合突起、５４…リンク孔、５５…復帰ばね、５６…復帰ばね、６０…スラストバー、６１…操作側端部、６２…伝達側端部、７０…ラッチ部材、７１…ラッチ片、８０…表示ラッチ部材、８１…上端部、８２…第４回動軸、８３…表示ラッチばね、９０…電磁引外装置、９１…ボビン、９１ａ…挿入側鍔部、９１ｂ…突出側鍔部、９２…コイル、９３…固定鉄心、９３ａ…背面、９４…上側脚片、９５…下側脚片、９６…ホルダ部材、９６ａ…ホルダ回動軸、９６ｂ…突起、９６ｃ…突起、９７…可動鉄心、９８…コイルばね、１００…スペーサ、１０１…板片、１０２…板片、１０３…接続片、１９３…固定鉄心、２０１…可動接点板、２０２…可動接点、２０３…固定接点、２９０…電磁引外装置、２９１…ボビン、２９３…固定鉄心、２９５…下側脚片、２９６…ホルダ部材、２９６ａ…ホルダ回動軸、２９７…可動鉄心、２９８…コイルばね。
【図１】
2014199755.tif 000003
【図２】
2014199755.tif 000004
【図３】
2014199755.tif 000005
【図４】
2014199755.tif 000006
【図５】
2014199755.tif 000007
【図６】
2014199755.tif 000008
【図７】
2014199755.tif 000009
【図８】
2014199755.tif 000010
【図９】
2014199755.tif 000011
【図１０】
2014199755.tif 000012
【図１１】
2014199755.tif 000013
【図１２】
2014199755.tif 000014
【図１３】
2014199755.tif 000015
【図１４】
2014199755.tif 000016
【図１５】
2014199755.tif 000017